(57)【要約】【課題】ＩＣカードの偽造検知のための装置および方法を提供する。【解決手段】前面に超小型電子回路および個人口座番号の型押しされた画像を有するＩＣカード（３）の偽造を検知することができるように、装置（１）は、ディスプレイ（２）と、ＩＣカード（３）が装置（１）と接触すると超小型電子回路（４）内の個人口座番号のデジタル画像を読み取り、読み取られた個人口座番号の数字をディスプレイ（２）上に表示するために配設された電子回路（５）とを備える。【選択図】図３
2005115908.tif 000002
【特許請求の範囲】
【請求項１】
前面に超小型電子回路（４）および個人口座番号の型押しされた画像を有するＩＣカード（３）の偽造を検知するための装置（１）であって、
ディスプレイ（２）と、ＩＣカード（３）が装置（１）と接触すると、超小型電子回路（４）内の個人口座番号のデジタル画像を読み取り、読み取られた個人口座番号の数字をディスプレイ（２）に表示するために配設された電子回路（５）とを備える装置（１）において、
電子回路（５）が、超小型電子回路（４）内の静的検証コードを読み取り、静的検証コードによって、読み取られた個人口座番号のデジタル画像の有効性が確認されない場合にはディスプレイ（２）にアラームを表示するために配設されることを特徴とする装置。
【請求項２】
ＩＣカード（３）が装置（１）と接触する場合に、個人口座番号の型押しされた画像の表示された数字を目に見えるようにするために配設されることを特徴とする請求項１に記載の装置。
【請求項３】
表示される個人口座番号の数字の型押しされた画像の数字が、ＩＣカード（３）の挿入されていない部分において目に見えるように、超小型電子回路（４）を備えるＩＣカード（３）の一部だけを挿入することができる開口部（９）を有することを特徴とする請求項２に記載の装置。
【請求項４】
前面に超小型電子回路（４）および個人口座番号の型押しされた画像を有するＩＣカード（３）の偽造を検知する方法であって、
超小型電子回路（４）内の個人口座番号のデジタル画像の読取りに関する第１の読取り命令を発生する段階と、
超小型電子回路（４）が第１の読取り命令に応答して個人口座番号のデジタル画像を提供する場合に、個人口座番号の数字を表示する段階と、
数字が、個人口座番号の型押しされた画像の数字と対応して表示されているかどうかを確認する段階とを有する方法において、
超小型電子回路（４）内の静的検証コードの読取りに関する第２の読取り命令を発生する段階と、
超小型電子回路（４）が第２の読取り命令に応答して、第１の読取り命令に応答して提供した個人口座番号のデジタル画像の有効性を確認する静的検証コードを提供することをチェックする段階と、
静的検証コードが、第１の読取り命令に応答して提供された個人口座番号のデジタル画像の有効性を確認しない場合にアラームを発生する段階と
を有することを特徴とする方法。
【請求項５】
読み取られた個人口座番号の数字を表示する段階において、個人口座番号の型押しされた画像に対応する数字が、ＩＣカード（３）上で目に見えることを特徴とする請求項４に記載の方法。
【請求項６】
第１の読取り命令を発生させる段階において、超小型電子回路（４）を備えるＩＣカード（３）の一部が、表示すべき個人口座番号の型押しされた画像の数字がＩＣカード（３）の挿入されていない部分において目に見えるように、装置（１）内に挿入されることを特徴とする請求項５に記載の方法。
【発明の詳細な説明】
【技術分野】
【０００１】
本発明は、ＩＣカードの使用に関するものである。ＩＣカードの使用は、カードを提示することによって特定のアクションが始まるような数多くの分野に適用される。
【背景技術】
【０００２】
ＩＣカード上の超小型電子回路は、一般に、ＩＣカードの正規の保持者に関するデータを含んでいる。適切な装置によって読み取られるこれらデータは、相応しいアクションを開始することを可能にする。
【０００３】
例として、患者の健康状態を追跡調査することができる医療分野でのＩＣカードを挙げることができる。一般に、医師または薬剤師は患者を覚えているので、その種のカードについては、患者がそのアイデンティティの有効性を確認することは必ずしも有益ではない。さらに、携帯電話において使用されるＩＣカードを挙げることができる。
【０００４】
ＩＣカードが建物にアクセスするバッジを構成する場合には、そのカードを読み取る装置は、たとえば、超小型電子回路のデータがデジタルまたは他の刻印の認識と一致していることをチェックできる。
【０００５】
銀行分野においては、通常、ＩＣカードを使って、カードの所持者の口座から引き落としを行う。一般に、カードの所持者は、自分の口座の払い戻しを有効にすることができるような暗証番号を有している。
【０００６】
カードの所持者が、銀行のキャッシュディスペンサーから現金を引き出そうとすると、銀行のディスペンサーおよび所持者の口座を管理している銀行は、暗証番号が、カードの超小型電子回路に入れられたデータと一致することかどうかを検証できる。
【０００７】
カードの所持者が商店で支払いを行う場合、一般に、あらかじめ定められた限度額を超える金額については、銀行との暗証番号の検証トランザクションが行われる。銀行との検証トランザクションは、支払いの適合性を保証することができるようにつくりあげられた機構に基づいている。しかしながら、銀行とのこうしたトランザクションは、かなりの通信コストを必要とする。そのため、限度額以下の金額のトランザクションについては、多くの場合、銀行との検証トランザクションを行わずにコストが節約される。ＩＣカードが挿入されるカード読取り器は、主に、カードの所持者によってカード読取り器に打ち込まれた暗証番号の有効性確認の要求に肯定的に答えることをカードの超小型電子回路に要求することにある、カードの超小型電子回路との単純な検証トランザクションを行う。
【発明の開示】
【発明が解決しようとする課題】
【０００８】
限度額以下の少額の金額についての上述のやり方には問題がある。偽造者は市場において、プログラム可能な超小型電子回路を大量に手に入れることができる。偽造者は、カード読取り器に打ち込まれた暗証番号がいかなるものであれ、常に肯定的に答えるように、これら超小型電子回路をプログラムする。偽造者は、盗難されたＩＣカードの超小型電子回路を、プログラムされた電子回路に置き換える。次に、偽造されたカードの使用者は、金額が定められた限度額より低額の支払いを行うために商人にそのカードを提示する。超小型電子回路が置き換えられたＩＣカードは、外観は本物のカードと同じなので、商人は偽造に気づかない。商人はまた、使用者が読取り器に要求された暗証番号を打ち込むときにも偽造に気づかない。なぜなら、置き換えられた超小型電子回路は常に、カード読取り器とのローカルなトランザクションに肯定的に答えるからである。一定限度額より少ないとはいえ、その金額は、いかなる有効な支払いにも対応していない。したがって、こうした少額の不正の支払いが大規模に行われ、結果的な損害額が莫大なものになるという不都合がある。
【０００９】
本発明の目的は、前面に超小型電子回路および個人口座番号の型押し画像を備えるＩＣカードの偽造の検知を可能にする装置を提案することにある。
【課題を解決するための手段】
【００１０】
この装置は、ディスプレイと、ＩＣカードが装置と接触するときに超小型電子回路内の個人口座番号のデジタル画像を読み取り、読み取られた個人口座番号の数字をディスプレイに表示するために配設された電子回路とを備える点が注目される。
【００１１】
この装置によって、商人は、購買者が支払いをするために提示したＩＣカードの超小型電子回路が、ＩＣカード上で商人が見ることができる個人口座番号の型押し画像内で対応する数字に似通った少なくともいくつかの数字、すなわち表示されている数字を伴う個人的識別番号を含むかどうかを検証することが可能になる。こうして、装置が、個人口座番号の型押しされた画像内の対応番号と同等の番号を表示しない場合には、商人は、このＩＣカードが偽造されたものある確率が大変高いと検知することができる。
【００１２】
商人は、たとえば、ＩＣカードをその装置と接触させ、表示された数字を読み、次に、ＩＣカード上で、型押しされた番号が、たとえば、ディスプレイ上に記憶されているのを見た、または見ている数字に対応する数字を含んでいることを確認することができる。
【００１３】
有利には、この装置は、ＩＣカードが装置と接触すると、個人口座番号の型押しされた画像の表示された数字を目に見えるようにするために配設される。
【００１４】
このようにして、商人は、一方では、超小型電子回路内に含まれた個人口座番号のデジタル画像の数字である表示された数字と、他方では、カード上に型押しされた画像の対応する数字とを同時に見ることができ、それらを頭の中で覚える必要もなければ、その数字をディスプレイ上に記憶させる必要もない。こうして、カードがもはや装置と接触しなくなると、すぐに表示も消えることができる。
【００１５】
こうした機能性を得るために、装置の複数の配置が可能である。たとえば、装置は、超小型電子回路のみを覆うようにカードの上に置かれながらも、ＩＣカードとの接触を確立するように配置することもできる。
【００１６】
さらに有利には、装置は、表示された個人口座番号の型押しされた画像の数字がＩＣカードの挿入されていない部分上で目に見えるように、超小型電子回路を含むＩＣカードの一部分のみを挿入することができる開口部を備える。
【００１７】
このようにして、商人は、カードが、接触のどんな調整も気にかける必要なく、カードが止まるまで装置の開口部内にカードを挿入するだけでいい。
【００１８】
商人がさらに確実に偽造カードを検知することができるように、任意選択で、超小型電子回路内の静的検証コードを読み取り、その静的検証コードによって読み取られた個人口座番号のデジタル画像の有効性が確認されない場合には、ディスプレイ上にアラームを表示するように電子回路を配設することができる。
【００１９】
本発明の他の目的は、前面に超小型電子回路および個人口座番号の型押しされた画像を備えるＩＣカードの偽造を検知する方法である。
【００２０】
この方法は、以下の段階を有する点が注目される。
【００２１】
−超小型電子回路内の個人口座番号のデジタル画像の読取りに関する第１の読取り命令を発生する段階と、
−超小型電子回路が、第１の読取り命令に応答して個人口座番号のデジタル画像を提供する場合に、個人口座番号の数字を表示する段階と、
−数字が、個人口座番号の型押しされた画像の数字と対応するように表示されているかどうかを確認する段階とを有する点である。
【００２２】
この方法のさまざまな実施形態が可能である。たとえば、店のレジを通る客が、個人的なコードを打ち込みながら、買い物の支払いをするために自分のＩＣカードをカード読取り器内に挿入すると、店のレジの人の前にある画面に個人口座番号のいくつかの数字が表示されるように設定することができる。画面でそれらの数字を見たレジの人は、次に、一般にそのカードをレシートとともに客に返すために読取り器からカードを抜き取るときに、表示された数字がカードに型押しされた画像の数字と対応しているかどうかを確認することができる。
【００２３】
有利にも、読み取られた個人口座番号の数字を表示することにある段階において、個人口座番号の型押しされた画像に対応する数字は、ＩＣカード上で見ることができる。
【００２４】
このことは、たとえば、レジの人が、その画面上で表示された数字と、個人口座番号の型押しされた画像の数字を同時に見ることができるように、レジの人の目の前に開かれた画面上に数字を記憶させながら行うことができる。
【００２５】
とりわけ、超小型電子回路を含むＩＣカードの一部は、表示すべき個人口座番号の型押しされた画像の数字がＩＣカードの挿入されていない部分において目に見えるままとなるように、装置内に挿入される。
【００２６】
このようにして、たとえばレジの人は、画面上の記憶も頭の中の記憶も必要とすることなく、表示された数字とカードに型押しされた画像の対応する数字とを同時に確認することができる。この装置はたとえば、記録用レジからは独立した単純な用具を構成することで、記録用レジに手を加える必要なくこの方法を実行することができる本発明の第１の目的における装置である。本発明の第１の目的による装置はまた、商人が、複雑な記録用レジシステムに頼る必要なくこの方法を実行することができる。
【００２７】
任意選択として、この方法は、以下を行うことにある段階を追加することによって改良される。
【００２８】
−超小型電子回路内の静的検証コード番号の読取りに関する第２の命令を発生する段階と、
−超小型電子回路が第２の読取り命令に応答して、第１の読取り命令に応答して提供された個人口座番号のデジタル画像の有効性を確認する静的検証コードを提供することをチェックする段階と、
−静的検証コードが、第１の読取り命令に応答して提供された個人口座番号のデジタル画像の有効性を確認しない場合にアラームを発生させる段階とである。
【００２９】
添付の図面を参照し、以下に好ましい実施形態を説明することで、本発明の実施の他の利点および詳細が明らかになるだろう。
【発明を実施するための最良の形態】
【００３０】
図２は、本発明による装置１の前面を示し、図１は図２の右側からの投影図である。
【００３１】
装置１は、キーホルダーと同じくらいの小さいサイズのケースを有する。ケースのサイズは、図２に示されているようなＩＣカード３の左部分を右側から挿入するのにほぼ十分なサイズである。ケースのサイズが小さい結果、装置１も場所をとらないことは、誰にとっても評価されるべきであり、ＩＣカードが偽造されていないかどうかを検知するためにこの装置に頼ることができる。
【００３２】
ＩＣカード３は、ここでは、一般に４つの数字の連続する４つのシリーズで構成される個人口座番号（英語ではＰｅｒｓｏｎｎｅｌ  Ａｃｃｏｕｎｔ  Ｎｕｍｂｅｒの略でＰＡＮ）の型押しされた画像を前面に有する銀行カードである。
【００３３】
図１および２に示されている装置１は、その前面に、たとえば４つの数字を表示することができるディスプレイ２を備える。電子発光型ダイオード付きマトリクス型またはプラズマ型ディスプレイなど、数多くのタイプのディスプレイが適している。しかしながら、液晶型ディスプレイは、電力消費量が少ないという利点を有する。
【００３４】
装置１は、厚みと幅がＩＣカード３の厚みと幅よりわずかに大きい、スリットタイプの開口部９を備える。ケース内の開口部９の奥行きは、ＩＣカード３の長さのおよそ３分の１から半分である。好ましくは、装置１のケースの右側に配置された開口部９は、このように、装置１の中にＩＣカードの左側部分を挿入させることができる。ＩＣカード３を開口部９の奥で止まるまで挿入すると、カードの右側部分が見えたままとなり、その部分におけるＩＣカード３の前面に個人口座番号の少なくとも下四桁の数字を見ることができる。
【００３５】
図３には、電気結線を伴う装置１の構成部品が示されている。装置１は、ディスプレイ２以外に、ＩＣカードの超小型電子回路４との連絡を確立するための断続器接点を伴う電子回路５を備える。
【００３６】
図４を参照すると、偽造されていない何らかの銀行カードの超小型電子回路４は、独自のメモリアドレスに、二進法で、ＩＣカード３の前面において個人口座番号の型押しされた画像の数字と同じ数字を有する個人口座番号ＰＡＮのデジタル画像７を有する。
【００３７】
電子回路５は、超小型電子回路４内の個人口座番号のデジタル画像７を読み取るために配設される。さまざまな配設が可能である。たとえば、電子回路５は、個人口座番号のデジタル画像が存在する超小型電子回路４の独自のアドレスに読取り命令を送るようになされた結合回路を備えることができる。たとえばまた、電子回路５は、個人口座番号のデジタル画像が存在する超小型電子回路４の独自のアドレスに読取り命令を送るようになされたマイクロプログラムを含むメモリとマイクロプロセッサを有することができる。
【００３８】
電子回路５はまた、ディスプレイ２に、数字、好ましくはデジタル画像内で読み取られた個人口座番号の下四桁の数字を表示するために配設される。さらにここでは、さまざまな配設が可能である。電子回路５が、結合回路を備える場合には、結合回路は、下四桁の数字の書込み命令をディスプレイ２に送るようになされる。電子回路５が、マイクロプロセッサと、マイクロプログラムを含むメモリを備える場合には、マイクロプログラムは、下四桁の数字の書込み命令をディスプレイ２に向けて送るようになされる。
【００３９】
電子回路５とディスプレイ２は、書き込み命令のコミュニケーションを確立するために一方では互いに電気的に接続され、他方では、給電を行うための領域６に接続される。領域６は、時計用タイプのボタン電池や太陽光タイプの太陽電池など低出力の発電装置を取り付けるために設けられる。低出力の発電装置で十分である。なぜなら、ディスプレイ２および電気回路５は、消費量が小さいからである。
【００４０】
装置１の電力消費量はまた、通常開放され、一方の領域６と、他方のディスプレイ２および電子回路５との間に配置されるスイッチ１０を用いて節約することができる。スイッチ１０は、開口部９の奥で止まるまでＩＣカード３が挿入されると閉鎖される。
【００４１】
装置１は、以下のように動作するように使用される。
【００４２】
図５を参照すると、次の方法が実行されるが、領域６は、装置１のケースの内部では１つの電池によって占められ、装置１のケースの前面においては太陽電池によって占められている。
【００４３】
装置１内に挿入されたＩＣカードがない場合には、スイッチ１０は開放され、その結果、電子回路５およびディスプレイ２はいかなる電気エネルギーも消費しないですむ。
【００４４】
段階１１においては、開口部９の奥で止まるまでＩＣカード３が挿入される。その結果、スイッチ１０が閉鎖されて、ディスプレイ２および電子回路５が給電される。給電されると電子回路５は、超小型電子回路４内の個人口座番号のデジタル画像７の読取りに関する第１の命令を発生するが、この超小型電子回路は、ＩＣカード３を開口部９の奥で止まるまで挿入した位置で電子回路５および領域６の電源と接触する。
【００４５】
段階１２においては、超小型電子回路４が第１の読取り命令に応答して個人口座番号のデジタル画像を提供する場合には、電子回路５は、ディスプレイ２に個人口座番号の下四桁の数字の書込み命令を送る。超小型回路４が、第１の読取り命令に応答して個人口座番号のデジタル画像を提供しない場合には、電子回路５はディスプレイ２にいかなる書込み命令も送らない、あるいは電子回路５は、ディスプレイ２にエラーメッセージの書込み命令を送る。
【００４６】
段階１３において、数字が、装置１の外側に残されたＩＣカードの部分において目に見える個人口座番号の型押しされた画像の４つの数字に対応するように、すなわちそれらの数字に等しくなるように表示されているかどうかを確認する。
【００４７】
表示されている数字が、ＩＣカードの右側に見られる数字と等しい場合には、このカードは偽造されていないと認められる。
【００４８】
ディスプレイ２がＩＣカードの右側で目に見える数字と等しい数字を表示しない場合、ＩＣカードの偽造が検知される。
【００４９】
一般に、本物のＩＣカードの超小型電子回路４は、図４でＶＳと記された静的検証コード８を含む。たとえばＥＭＶテクノロジーによって、このコードはＳＤＡ（英語でＳｔａｔｉｃ  Ｄａｔａ  Ａｕｔｈｅｎｔｉｃａｔｉｏｎ  静的データ認証）タイプである。検証コードは、信用機関のみが複雑なアルゴリズムを用いて生成することができる個人口座番号の署名を構成する。複雑なアルゴリズムと対称をなす単純なアルゴリズムは、公に、検証コードを用いて個人口座番号の真正性を検証することができる。たとえば、信用機関によって秘密に保持されている私的鍵が公開鍵に関連しているような、対称鍵型アルゴリズムを挙げることができる。
【００５０】
装置１を改良するためには、超小型電子回路４内の静的検証コードを読み取り、静的検証コードによって、読み取られた個人口座番号のデジタル画像の有効性が確認されない場合には、ディスプレイ２にアラームを表示するために、図３に示されている電子回路５が任意選択で配置される。
【００５１】
たとえば、電子回路５のメモリは、超小型電子回路４内の検証コードを読み取る独自のアドレスと、検証コードによって、超小型電子回路４内の読取り可能な個人口座番号のデジタル画像を有効性を確認することを公開鍵を用いてチェックするようになされたマイクロプログラムとを含む。
【００５２】
こうして、装置１は、以下のように動作するように使用される。
【００５３】
図５を参照して先に説明した方法において、段階１４から１６が段階１１と１２との間に挿入される。
【００５４】
段階１４において、ＩＣカード３が開口部９の奥で止まるまで挿入される間、電子回路５は、超小型電子回路４内の検証コードの読取りに関する第２の命令を発生する。
【００５５】
段階１５において、電子回路５は、超小型電子回路４が第２の読取り命令に応答して段階１１で読み取られたデジタル画像の有効性を確認する検証コードを提供することをチェックする。そうでない場合には、電子回路５は段階１６を実行する。こうして、電子回路５は、段階１５で肯定的に有効性が確認された場合に、前述した段階１２を実行する。
【００５６】
段階１６において、電子回路５は、たとえば、ディスプレイ２におけるエラーメッセージを表示しながら、または、ここに示されていない振動機を用いて音響信号を発することによって、アラームを発生する。
【図面の簡単な説明】
【００５７】
【図１】本発明による装置の側面図である。
【図２】図１の装置の正面図である。
【図３】図１および２の装置の概略図である。
【図４】個人口座番号のデジタル画像を示す図である。
【図５】本発明による方法の諸段階を示す図である。
【符号の説明】
【００５８】
１    装置
２    ディスプレイ
３    ＩＣカード
４    超小型電子回路
５    電子回路
６    領域
７    個人口座番号のデジタル画像
８    静的検証コード
９    開口部
１０    スイッチ
【図１】
2005115908.tif 000003
【図２】
2005115908.tif 000004
【図３】
2005115908.tif 000005
【図４】
2005115908.tif 000006
【図５】
2005115908.tif 000007